(57)【要約】      （修正有）【課題】移動局と基地局との間の接続切替に依存せずにデータ単位の連続的な伝送を可能にし、接続切替の際に伝送容量が損なわれないようにする。【解決手段】有効データを伝送に先行してデータ単位にまとめ、データ単位の伝送のために、伝送の現在の状態を表す伝送に特化した情報を、移動局１０内と第１の上位ネットワークユニット５０内に格納し、移動局１０を第１の基地局２５から第２の上位ネットワークユニット５５を有する第２の基地局３０へ接続切替する際に、伝送を初期状態からの継続であるようにするために、第２の上位ネットワークユニット５５において生成された伝送プロトコルをリセットするのか、又は、接続切替後の伝送が伝送の現在の状態からの直接の継続であるようにするために、既に形成された既存の伝送特化情報を第１の上位ネットワークユニット５０から第２の上位ネットワークユニット５５に伝送するのかを示すシグナリング情報を決定する。【選択図】図１
2011050069.tif 000002
【特許請求の範囲】
【請求項１】
移動局（１０）と第１の基地局（２５）との間で有効データが伝送される移動無線通信ネットワーク（１）を運用する方法において、
前記有効データをその伝送に先行して例えばパケットデータ単位であるデータ単位にまとめ、
前記データ単位の伝送のために、伝送の現在の状態を表す、伝送に特化した情報を、前記移動局（１０）内に、及び前記第１の基地局（２５）の上位にある第１のネットワークユニット（５０）内に格納し、
前記移動局（１０）を前記第１の基地局（２５）から第２の上位ネットワークユニット（５５）を有する第２の基地局（３０）へ接続切替する際に、伝送を初期状態からの継続であるようにするために、前記第２の上位ネットワークユニット（５５）において生成された伝送プロトコルをリセットするのか、又は、接続切替後の伝送が伝送の現在の状態からの直接の継続であるようにするために、既に形成された既存の伝送特化情報を前記第１の上位ネットワークユニット（５０）から前記第２の上位ネットワークユニット（５５）に伝送するのかをシグナリング情報が決定する、ことを特徴とする移動無線通信ネットワーク（１）を運用する方法。
【請求項２】
前記データ単位の伝送に先行して、前記データ単位の各々に制御情報を付加し、
前記制御情報の伝送に先行して、差分符号化によって前記制御情報を圧縮し、
前記制御情報の符号化及び復号のために、前記移動局（１０）内に、及び前記第１の上位ネットワークユニット（５０）内に、それぞれ１つのコードブック（１５０）を格納し、
この場合、前記格納された２つのコードブック（１５０）は同一の内容を有しており、
前記接続切替の際に、伝送特化情報とともに、前記第１の上位ネットワークユニット（５０）に格納されたコードブック（１５０）を前記第２の上位ネットワークユニット（５５）に伝送する、請求項１記載の方法。
【請求項３】
前記移動局（１０）と前記第１の基地局（２５）との間でのデータ単位の伝送のための接続形成に先行して、またはこの接続形成の際に、前記移動局（１０）によって第１のシグナリング情報として生成されたシグナリング情報を前記第１の上位ネットワークユニット（５０）に伝送し、これによって、前記第１の上位ネットワークユニット（５０）とは異なる新たな上位ネットワークユニットを有する基地局への接続切替の際に、前記新たな上位ネットワークユニットに対して伝送特化情報を伝送すべきか否かを、前記第１の上位ネットワークユニット（５０）に通知する、請求項１または２に記載の方法。
【請求項４】
前記接続切替に先行して、または接続切替の際に、前記移動局（１０）によって第２のシグナリング情報として生成されたシグナリング情報を前記第１の上位ネットワークユニット（５０）に伝送し、以て前記接続切替の際に、伝送特化情報を前記第２の上位ネットワークユニット（５５）に伝送すべきか否かを、前記第１の上位ネットワークユニット（５０）に通知する、請求項１から３のいずれか１項に記載の方法。
【請求項５】
前記接続切替の際に、伝送特化情報とともに、前記第１の上位ネットワークユニット（５０）内に制御目的でバッファ記憶されたデータ単位を前記第２の上位ネットワークユニット（５５）に伝送する、請求項１から４のいずれか１項に記載の方法。
【請求項６】
前記接続切替の際に、前記第１の上位ネットワークユニット（５０）のコンバージェンスプロトコル層（１２５）の１つのユニットから前記第２の上位ネットワークユニット（５５）のコンバージェンスプロトコル層の１つのユニットへ伝送特化情報を伝送する、請求項１から５のいずれか１項に記載の方法。
【請求項７】
前記接続切替の際に、伝送特化情報を、前記第１の上位ネットワークユニット（５０）と前記第２の上位ネットワークユニット（５５）との間の固定ネットワーク（８５，８６，８７）を介して伝送する、請求項１から６のいずれか１項に記載の方法。
【請求項８】
前記移動局（１０）と前記第１の基地局（２５）との間でのデータ単位の伝送のための接続形成に先行して、またはこの接続形成の際に、前記第１の上位ネットワークユニット（５０）によって第１のシグナリング情報として生成されたシグナリング情報を前記基地局（１０）に伝送し、これによって、前記第１の上位ネットワークユニット（５０）とは異なる新たな上位ネットワークユニットを有する基地局への接続切替の際に、伝送特化情報を前記新たな上位ネットワークユニットに伝送すべきか否かを、前記移動局（１０）に通知する、請求項１から７のいずれか１項に記載の方法。
【請求項９】
前記接続切替に先行して、または前記接続切替の際に、前記第１の上位ネットワークユニット（５０）によって第２のシグナリング情報として生成されたシグナリング情報を前記移動局（１０）に伝送し、これによって、前記接続切替の際に、伝送特化情報を前記第２の上位ネットワークユニット（５５）に伝送すべきか否かを、前記移動局（１０）に通知する、請求項１から８のいずれか１項に記載の方法。
【発明の詳細な説明】
【技術分野】
【０００１】
本発明は、独立請求項の上位概念による移動無線通信ネットワークを運用する方法に関する。
【背景技術】
【０００２】
整理番号１  ９９  ４４  ３３４．３を有する未公開のドイツ特許出願から、移動無線通信ネットワークを運用する方法が公知であり、この方法では、有効データが移動局と第１の基地局との間で伝送され、この有効データは、その伝送に先行して、データ単位に、とりわけパケットデータ単位にまとめられる。
【先行技術文献】
【特許文献】
【０００３】
【特許文献１】ドイツ特許出願第１  ９９  ４４  ３３４．３号
【発明の概要】
【発明が解決しようとする課題】
【０００４】
本発明の課題は、移動局と基地局との間の接続切替に依存せずにデータ単位の連続的な伝送を可能にし、接続切替の際に伝送容量が損なわれないようにすることである。
【課題を解決するための手段】
【０００５】
上記課題は、本発明に従い、移動局と第１の基地局との間で有効データが伝送される移動無線通信ネットワークを運用する方法において、前記有効データをその伝送に先行して例えばパケットデータ単位であるデータ単位にまとめ、前記データ単位の伝送のために、伝送の現在の状態を表す、伝送に特化した情報を、前記移動局内に、及び前記第１の基地局の上位にある第１のネットワークユニット内に格納し、前記移動局を前記第１の基地局から第２の上位ネットワークユニットを有する第２の基地局へ接続切替する際に、伝送を初期状態からの継続であるようにするために、前記第２の上位ネットワークユニットにおいて生成された伝送プロトコルをリセットするのか、又は、接続切替後の伝送が伝送の現在の状態からの直接の継続であるようにするために、既に形成された既存の伝送特化情報を前記第１の上位ネットワークユニットから前記第２の上位ネットワークユニットに伝送するのかを示すシグナリング情報を決定することにより解決される。
【図面の簡単な説明】
【０００６】
【図１】移動無線通信ネットワークのブロック回路図を示す。
【図２】接続切替前の、移動局と第１の基地局の上位にある第１のネットワークユニットとの間の接続のブロック回路図を示す。
【図３】接続切替後の、移動局と第２の基地局の上位にある第２のネットワークユニットとの間の接続のブロック回路図を示す。
【図４ａ】圧縮テーブルを示す。
【図４ｂ】データ単位のためのバッファメモリを示す。
【発明を実施するための形態】
【０００７】
独立請求項の特徴を備えた本発明による方法は、以下の利点を有する。すなわち、本発明による方法は、データ単位の伝送のために、伝送の現在の状態を表す、伝送に特化した情報を、移動局内に、及び第１の基地局の上位にある第１のネットワークユニット内に格納し、移動局を第１の基地局から第２の上位ネットワークユニットを有する第２の基地局へ接続切替する際に、第１の上位ネットワークユニットに格納された伝送特化情報を第２の上位ネットワークユニットに伝送し、接続切替後の伝送が伝送の現在の状態からの直接の継続となるようにする。このようにして、データ単位の連続的な伝送が接続切替に依存せずに可能となる。それゆえ、接続切替の際に伝送特化情報を初期状態にリセットする必要がない。したがって、接続切替後の移動局と第２の基地局との間の無線伝送は、データの伝送によって伝送容量が損なわれることがない。なお、前記データは、第２の上位ネットワークユニットにおいて、いちばん最後に有効であった伝送特化情報を再構成するのに必要なものである。
【０００８】
従属請求項において実施される措置によって、独立請求項に示された方法の有利な発展形態及び改善が可能である。
【０００９】
特に有利には、データ単位の伝送に先行して、これらデータ単位の各々に制御情報が付加され、制御情報の伝送に先行して、差分符号化によってこれらの制御情報が圧縮され、制御情報の符号化及び復号のために、移動局内及び第１の上位ネットワークユニット内に、それぞれ１つのコードブックが格納され、前記格納された２つのコードブックは同一の内容を有しており、接続切替の際に、伝送特化情報とともに、第１の上位ネットワークユニットに格納されたコードブックが、第２の上位ネットワークユニッに伝送される。このようにして、第２の上位ネットワークユニットは、接続切替の際に、移動局と第１の基地局との間のデータ単位の伝送の間に移動局及び第１の上位ネットワークユニットに格納されたコードブックを直接第１の上位ネットワークユニットに引き渡すことができ、その結果、移動局と第２の基地局の間の伝送のための伝送容量の要求に応じて、接続切替後にコードブックを新たに格納ないし作成する必要がない。
【００１０】
別の利点は次の点にある。すなわち、移動局と第１の基地局との間でのデータ単位の伝送のための接続形成に先行して、またはこの接続形成の際に、第１のシグナリング情報が移動局から第１の上位ネットワークユニットに伝送され、これによって、第１の上位ネットワークユニットとは異なる新たな上位ネットワークユニットを有する基地局への接続切替の際に、新たな上位ネットワークユニットに対して伝送特化情報を伝送すべきか否かが、第１の上位ネットワークユニットに通知される。別の可能性としては、接続切替に先行して、または接続切替の際に、第２のシグナリング情報が移動局から第１の上位ネットワークユニットに伝送され、これによって、接続切替の際に、第２の上位ネットワークユニットに伝送特化情報を伝送すべきか否かが、第１の上位ネットワークユニットに通知される。これは特に有利である。とういのも、第１の上位ネットワークユニットは、新たな上位ネットワークユニットの性能及びリソースと、伝送特化情報が伝送される固定接続とに関する情報を有しているからである。このようにして各ケースにおいて、接続切替の際に、要求に応じて、第１の上位ネットワークユニットから、形成すべき遠隔通信接続のための新たな上位ネットワークユニットへ伝送特化情報が伝送がされるという選択肢が与えられる。さらに、このようにして、形成すべき接続に対して、接続切替後に伝送特化情報を初期状態にリセットする可能性が与えられる。しがって、本発明による方法は柔軟に適用可能である。
【００１１】
別の利点は次の点にある。すなわち、接続切替に先行して、または接続切替の際に、第２のシグナリング情報が、移動局から前記第１の上位ネットワークユニットに、または第１の上位ネットワークユニットから移動局に伝送され、これによって、接続切替の際に、伝送特化情報を第２の上位ネットワークユニット（５５）に伝送すべきか否かが、第１の上位ネットワークユニットまたは移動局に通知される。このようにして、接続の間も要求に応じて、第１の上位ネットワークユニットから、形成すべき遠隔通信接続のための第２の上位ネットワークユニットへ伝送特化情報が伝送されるか、または伝送特化情報が初期状態にリセットされる。したがって、本発明による方法は特に柔軟に適用可能である。
【００１２】
別の利点は次の点にある。すなわち、接続切替の際に、伝送特化情報とともに、第１の上位ネットワークユニット内に制御目的でバッファ記憶されたデータ単位が第２の上位ネットワークユニットに伝送される。このようにして、とりわけ誤りのない伝送において、データ単位の伝送の制御のために必要な、場合によっては繰り返し伝送すべきバッファ記憶されたデータ単位が失われることがない。
【００１３】
また有利には、接続切替の際に、伝送特化情報は、第１の上位ネットワークユニットと第２の上位ネットワークユニットとの間の固定ネットワークを介して伝送される。このようにして、伝送特化情報を伝送するために、通常比較的高い固定ネットワークのデータ速度を利用することができ、この伝送のために、移動無線通信ネットワークの伝送容量を使用しなくても済む。
【実施例】
【００１４】
本発明の実施例を図示し、以下の記述においてより詳細に説明する。図１は、移動無線通信ネットワークのブロック回路図を示しており、図２は、接続切替前の、移動局と第１の基地局の上位にある第１のネットワークユニットとの間の接続のブロック回路図を示しており、図３は、接続切替後の、移動局と第２の基地局の上位にある第２のネットワークユニットとの間の接続のブロック回路図を示しており、図４ａ）は圧縮テーブルを示しており、図４ｂ）はデータ単位のためのバッファメモリを示している。
【００１５】
本発明は、図１による移動無線通信ネットワーク１を運用する方法に関するものであり、本方法では、接続が形成される間、２つの基地局２５，３０の間で、「リロケーション」とも称する接続切替が行われる。移動無線通信ネットワーク１は、例えばＧＳＭ規格（Ｇｌｏｂａｌ  Ｓｙｓｔｅｍ  ｆｏｒ  Ｍｏｂｉｌｅ  Ｃｏｍｍｕｎｉｃａｔｉｏｎｓ）またはＵＭＴＳ規格（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）に従って構成されている。本方法は、特に、形成された接続の伝送特化情報を、例えばコンバージェンスプロトコル層１３０，１３５の内部プロトコル情報の形態で、セル制御移動無線通信ネットワーク１の２つの上位ネットワークユニット５０，５５の間で伝送することに関する。
【００１６】
セル制御移動無線通信ネットワーク１は、物理的に相互に接続された種々のユニット１０，２０，２５，３０，３５，５０，５５，６０から成っている。ここで１０は、移動無線通信ネットワーク１の移動局を表しており、この移動局は例えば移動遠隔通信送信機として構成することができる。この移動遠隔通信送信機１０は、第１の無線インタフェース９０を介して、移動無線通信ネットワーク１の第１の基地局２５と接続されている。第１の基地局２５は、第１の固定ネットワーク接続８１を介して、第１の上位ネットワークユニット５０と接続されている。第２の基地局３０は、第２の固定ネットワーク接続８２を介して、第２の上位ネットワークユニット５５と接続されている。第３の基地局２０は、第３の固定ネットワーク接続８０を介して、第１の上位ネットワークユニット５０と接続されている。第４の基地局３５は、第４の固定ネットワーク接続８３を介して、第２の上位ネットワークユニット５５と接続されている。第１の上位ネットワークユニット５０は、第５の固定ネットワーク接続８５を介して、最上位ネットワークユニット６０と接続されている。第２の上位ネットワークユニット５５は、第６の固定ネットワーク接続８６を介して、最上位ネットワークユニット６０と接続されている。選択的に、第１の上位ネットワークユニット５０は、図１において破線で示されているように、第７の固定ネットワーク接続を介して、第２の上位ネットワークユニット５５と接続してもよい。第１の上位ネットワークユニット５０、第２の上位ネットワークユニット５５，及び場合によってはさらに別の上位ネットワークユニットは、ＵＭＴＳ規格に従って、いわゆる"Ｒａｄｉｏ  Ｎｅｔｗｏｒｋ  Ｓｕｂｓｙｓｔｅｍ"（ＲＮＳ）を形成している。最上位ネットワークユニットは、ＵＭＴＳ規格に従って、いわゆる"ＧＰＲＳ  Ｓｕｐｐｏｒｔ  Ｎｏｄｅ"（Ｇｅｎｅｒａｌ  Ｐａｃｋｅｔ  Ｒａｄｉｏ  Ｓｙｓｔｅｍ  Ｓｕｐｐｏｒｔ  Ｎｏｄｅ）（ＧＳＮ）を形成している。
【００１７】
セル制御移動無線通信ネットワーク１では、移動遠隔通信送信機１０と形成された接続に関与する移動無線通信ネットワーク１のその他のユニットとの間でのデータ伝送のために、論理接続が形成される。この場合、移動遠隔通信送信機１０と形成された接続に関与する移動無線通信ネットワーク１のその他のユニットとの間には、同時にさまざまな種類の論理接続が存在する。これらの論理接続は階層モデルに由来し、この階層モデルでは、各階層に１つのプロトコルが対応している。このプロトコルは、移動遠隔通信送信機１０にも、移動無線通信ネットワーク１の相応のユニットにも存在し、相応の論理接続を実現する。
【００１８】
図２によれば、例えば、移動局１０と第１の上位ネットワークユニット５０との間の、並びに移動局１０と第１の基地局２５との間の論理接続が示されている。この階層モデルにおける最下位の階層は、移動遠隔通信送信機１０内の第１の物理層１１０と、第１の基地局２５内の第２の物理層１１５とによって形成されており、これらの物理層が、第１の無線インタフェース９０に相当する、移動遠隔通信送信機１０と第１の基地局２５との間の物理接続を実現している。その上には、ＵＭＴＳ規格に従って「データリンク層」とも称するデータ保護層が存在し、複数の副層に分割されており、移動遠隔通信送信機１０と、ＵＭＴＳ規格に従って"Ｒａｄｉｏ  Ｎｅｔｗｏｒｋ  Ｃｏｎｔｒｏｌｌｅｒ"（ＲＮＣ）とも称する第１の上位ネットワークユニット５０との間のさまざまな論理接続を実現している。このような副層は、ＵＭＴＳ規格によれば、"Ｒａｄｉｏ  Ｌｉｎｋ  Ｃｏｎｔｒｏｌ"層（ＲＬＣ）とも称する無線通信接続制御層であり、この副層において、遠隔通信送信機１０内の第１のＲＬＣプロトコル１２０と、第１の上位ネットワークユニット５０内の第２のＲＬＣプロトコル１２５とが、上記論理接続として第１の論理ＲＬＣ接続１０１を実現している。他の副層はパケットデータコンバージェンスプロトコル層であり、ＵＭＴＳ規格に従って"Ｐａｃｋｅｔ  Ｄａｔａ  Ｃｏｎｖｅｒｇｅｎｃｅ  Ｐｒｏｔｏｃｏｌ"層（ＰＤＣＰ）とも称し、この副層において、移動遠隔通信送信機１０内の第１のＰＤＣＰプロトコル層１３０と、第１の上位ネットワークユニット５５内の第２のＰＤＣＰプロトコル層１３５とが、第１の論理ＰＤＣＰ接続１０２を実現している。例えばネットワーク層やトランスポート層のような比較的上位の階層では、例えば無線リソース制御プロトコルＲＲＣ（Ｒａｄｉｏ  Ｒｅｓｏｕｒｃｅ  Ｃｏｎｔｒｏｌ）や、インターネットプロトコルＩＰや、伝送制御プロトコルＴＣＰ（Ｔｒａｎｓｉｔ  Ｃｏｎｔｒｏｌ  Ｐｒｏｔｏｃｏｌ）等のような別のプロトコルが、別の論理接続を形成するようにしてもよい。図２によれば、階層モデルでは隣接する層は相互に接続されており、上位層は、隣接する相応の下位層のサービスを利用する。第２の物理層１１５は、図１に示されているように、第１の固定ネットワーク接続を介して第１の上位ネットワークユニット５０と接続されており、そこで第２のＲＬＣプロトコル１２５と接続されている。
【００１９】
刊行物「技術仕様２５．３０１、ＵＭＴＳ無線インタフェースプロトコルアーキテクチャ」から、いわゆる２層及び３層の相応のＵＭＴＳプロトコルアーキテクチャが公知である。いわゆる２層及び３層には、パケットデータ−コンバージェンスプロトコル層も属している。とりわけ、パケットデータ−コンバージェンスプロトコル層とこのアーキテクチャにおけるパケットデータ−コンバージェンスプロトコル層の位置は公知である。ＰＤＣＰプロトコル１３０，１３５は、明細書の以上において明記してきた限りでは、刊行物「技術仕様２５．３２３、パケットデータコンバージェンスプロトコル」から公知である。
【００２０】
ＰＤＣＰプロトコル１３０，１３５の課題は、パケットデータ−制御情報の圧縮であり、これらパケットデータ−制御情報は、パケットデータ−コンバージェンスプロトコル層の上位にあるトランスポート層及びネットワーク層のプロトコルから、その伝送に先行してデータ単位またはパケットデータ単位にまとめられた、同様にパケットデータ−コンバージェンスプロトコル層の上位にある応用層の有効データに付加され、第１の無線インタフェース９０を介した伝送に先行して圧縮されなければならず、これによって効率的な伝送が可能になる。
【００２１】
この場合、圧縮はさまざまな方式によって可能である。圧縮アルゴリズムは、例えば刊行物ＩＥＴＦ，ＲＦＣ  １１４４において、または刊行物ＩＥＴＦ，ＲＦＣ  ２５０７において明記されている。ほとんどの効率的な圧縮アルゴリズムは、パケットデータ−制御情報が所定のデータ型の相次ぐパケットデータ単位においてまったく異ならないか、またはある特定の部分しか異ならないという事実を利用している。パケットデータ−制御情報に対して差分符号化が適用され、第１のデータ型の第１のパケットデータ単位または他の基準パケットデータのパケットデータ−制御情報は圧縮されず、このデータ型の別のすべてのパケットデータ単位に関しては、それぞれの差分が以前のパケットデータ−制御情報または他の基準パケットデータ−制御情報に伝送される。この場合、パケットデータ単位のデータ型は、例えば使用されているトランスポート層プロトコル及びネットワーク層プロトコルによって与えられてもよい。例えば、第１のデータ型はＴＣＰ／ＩＰプロトコルによって、第２のデータ型はＵＤＰ／ＩＰプロトコル（Ｕｓｅｒ  Ｄａｔａｇｒａｍ  Ｐｒｏｔｏｃｏｌ）によって設定してもよい。
【００２２】
パケットデータ−制御情報の効率的な符号化ないし圧縮を可能にするために、パケットデータストリームがさまざまなデータ型のパケットデータ単位から構成されている場合には、符号化の間、受信機側及び送信機側にテーブルを格納し、このテーブルにさまざまなデータ型のパケットデータ−制御情報を記憶する。まず、圧縮すべき各パケットデータ単位について、テーブル内に類似のまたは同一のエントリが既に記憶されていないか調べる。記憶されている場合は、新たなパケットデータ−制御情報とテーブルに存在するパケットデータ−制御情報との間で差分符号化が実行され、受信機側の解凍器にこの差分が伝送されるだけでなく、差分符号化が適用されたテーブルエントリが送信される。テーブル内で送信機側に適切なエントリが見つからない場合は、パケットデータ単位は新たなデータ型と解釈される。さらに、このパケットデータ単位に属するパケットデータ−制御情報は、新たなエントリとしてテーブルに記録され、圧縮されずに伝送される。また、受信機も受信機側テーブルにこのパケットを記録する。
【００２３】
パケットデータストリームのパケットデータ−制御情報を効率的に圧縮するために、圧縮の間に送信機側及び受信機側に、圧縮テーブルまたはコードブックとも呼ばれるテーブルが作成される。これらのコードブックによって上記した差分符号化が可能となる。このようにして差分符号化されたパケットデータ−制御情報の復号が可能であるためには、送信機側及び受信機側のテーブルがつねに一致していなければならない。
【００２４】
セル制御移動無線通信ネットワークは、移動遠隔通信送信機１０のユーザが、第１の基地局２５によって張られた無線通信セルを離れるときにも、移動遠隔通信送信機１０から移動無線ネットワーク１のユニットへのデータ伝送を可能にする。そのために、移動遠隔通信送信機１０のユーザが第２の基地局３０によって張られた無線通信セルに向かって移動しているという前提の下、移動遠隔通信送信機１０と移動無線通信ネットワーク１との間で、第１の基地局２５から第２の基地局３０へのデータ伝送のために形成された接続を引き渡すための方法が実行される。この接続切替は、既に述べたように「リロケーション」とも称する。
【００２５】
接続切替の際に、接続を受け渡される側の第２の基地局３０は、いままでの第１の基地局２５とは異なる他の上位ネットワークユニットと接続されている。これは上記実施例においてもそうであり、第２の基地局３０は、第１の基地局２５とは異なり第２の上位ネットワークユニット５５と接続されている。
【００２６】
各々のプロトコルは、異なるネットワークにおける同じプロトコル層につねに少なくとも２度存在する。図２にも示されているように、ＲＬＣプロトコルとＰＤＣＰプロトコルは、移動遠隔通信送信機１０にも第１の上位ネットワークユニット５０にも存在する。特に、ＰＤＣＰプロトコル１３０，１３５は、ＵＭＴＳ規格に従って、上述したように、一方では移動遠隔通信送信機１０内に、他方では第１の上位ネットワークユニット５０内に、さらにまたＲＮＣとして構成された別の上位ネットワークユニット内にも存在する。上記の接続切替の場合、移動遠隔通信送信機１０と移動無線通信ネットワーク１との間に成立しているデータ接続は、第２の基地局３０及び第２の上位ネットワークユニット５５を介するように敷設されている。これによって、移動遠隔通信送信機１０内の第１のＰＤＣＰプロトコル１３０は、接続切替前には、第１の論理ＰＤＣＰ接続１０２を介して第１の上位ネットワークユニット５５内の第２のＰＤＣＰプロトコル１３５に送信し、接続切替後は、図３に従って、第２の上位ネットワークユニット５５内の第３のＰＤＣＰプロトコル１３６に送信する。
【００２７】
問題は、パケットデータ−制御情報の符号化の間、第１の上位ネットワークユニット５０内に第２のＰＤＣＰプロトコル１３５によってコードブックが格納され、このコードブックは差し当たり第２の上位ネットワークユニット５５では使用されず、それゆえ第２の上位ネットワークユニット５５内の第３のＰＤＣＰプロトコル１３６がこのコードブックを使用することができないという点にある。したがって、パケットデータ−制御情報が、移動遠隔通信送信機１０内の第１のＰＤＣＰプロトコル１３０によって、移動遠隔通信送信機１０内に形成されたコードブックの使用の下で、差分符号化される場合、相応するパケットデータ−制御情報は、第２の上位ネットワークユニット５５の第３のＰＤＣＰプロトコル１３６によって復号ないし伸長されない。というのも、第２の上位ネットワークユニット５５にはまったくコードブックが存在しないか、またはそこにあるコードブック内のエントリが、移動遠隔通信送信機１０内のコードブックのエントリと一致していないからである。
【００２８】
この問題は、必要なＰＤＣＰプロトコルを生成するために設けられた、第２の上位ネットワークユニット５５内及び移動遠隔通信送信機１０内のＰＤＣＰプロトコルユニットをリセットすることによって解決される。第２の上位ネットワークユニット５５では、このためにすべきことは何もない。というのも、第２の上位ネットワークユニット５５では、相応するＰＤＣＰプロトコルユニットは接続切替の際に新たにセッティングされ、それゆえ自動的にリセットされるからである。これに対して移動遠隔通信送信機１０では、相応するＰＤＣＰプロトコルユニットは明示的にリセットされなければならない。この場合、移動遠隔通信送信機１０によって使用されるすべてのコードブックが消去され、第１のＰＤＣＰプロトコル１３０は自身の初期状態にリセットされる。この方法は以下の欠点を有している。すなわち、接続切替後、まず再びコードブックを第２の上位ネットワークユニット５５内及び移動遠隔通信送信機１０内に編成しなければならず、符号化すべき各データ型の第１のパケットデータ−制御情報は、再び符号化されない、ないしは圧縮されず、それゆえ伝送の効率が悪くなる。
【００２９】
本発明によれば、例えば接続形成の間に格納されるコードブックのような伝送特化情報は、接続切替の際に、第１の上位ネットワークユニット５０から第２の上位ネットワークユニット５５に伝送される。
【００３０】
これの利点は、図１による第２の無線インタフェース９１を介した効率的な伝送が接続切替後にも可能となることであり、しかも各データ型の第１のパケットデータ−制御情報を符号化せずに、したがって圧縮せずに伝送しなくても済む。この場合、伝送特化情報は、接続切替の際に、第１の上位ネットワークユニット５０から、直接第７の固定ネットワーク接続８７を介するか、または第５の固定ネットワーク接続８５と最上位ネットワークユニット６０と第６の固定ネットワーク接続８６とを介して、第２の上位ネットワークユニットに伝送される。これによって生じる、接続切替時の上記固定ネットワーク接続８５，８６，８７の多重負荷は実質的には重要ではない。とういのも、コードブックが小規模の場合、伝送されるデータ量が少なく、上記固定ネットワーク接続８５，８６，８７は、移動遠隔通信送信機１０と第２の基地局３０との間で使用される第２の無線インタフェース９１よりも明らかに高いデータ速度を許容するからである。
【００３１】
さらに、接続の形成に先行して、または接続の形成の際に、接続切替時に第１の上位ネットワークユニット５０から相応する新たな上位ネットワークユニットへ伝送特化情報を伝送すべきか否か、または移動遠隔通信送信機１０内のＰＤＣＰプロトコルユニットを上述のようにリセットすべきか否かが、移動遠隔通信送信機１０側から第１の上位ネットワークユニット５０に通知されるように構成してもよい。また、第１の上位ネットワークユニット５０側から移動遠隔通信送信機１０に、接続切替時に第１の上位ネットワークユニット５０から第２の上位ネットワークユニット５５に伝送特化情報を伝送すべきか否かが通知されるように構成してもよい。この場合、形成すべき接続に対する無線伝送搬送波を供給するために、第１の上位ネットワークユニット５０から移動遠隔通信送信機１０に伝送されるメッセージに相応のシグナリング情報を付加してもよい。このメッセージは、ＵＭＴＳ規格に従って"Ｒａｄｉｏ  Ｂｅａｒｅｒ  Ｓｅｔｕｐ"メッセージとも称する。
【００３２】
他の可能性としては、直接、実行すべき接続切替に先行してまたは接続切替の間に、相応の信号伝達を行うこともできる。
【００３３】
本発明は以下の具体的かつ例示的なシナリオに基づいている。このシナリオでは、移動遠隔通信送信機１０は、必要な物理的及び論理的接続を介して、とりわけ、第１のＰＤＣＰプロトコル１３０と第２のＰＤＣＰプロトコル１３５とによって実現された、移動遠隔通信送信機１０と第１の上位ネットワークユニット５０との間の第１の論理ＰＤＣＰ接続１０２を介して、第１の基地局２５のような移動無線ネットワーク１のユニット、第１の上位ネットワークユニット５０及び最上位ネットワークユニット６０と接続されており、データ転送、したがってパケットデータ単位の交換はこの接続を介して行われる。
【００３４】
この場合、第１のＰＤＣＰプロトコル１３０及び第２のＰＤＣＰプロトコル１３５は、それらの機能に基づいて、有効データ及びパケットデータ−制御情報の圧縮及び操作に必要な伝送特化情報を格納する。上記２つのＰＤＣＰプロトコル１３０，１３５の正しい動作を可能にするためには、この伝送特化情報の一部を両方のＰＤＣＰプロトコル１３０，１３５と同期させるか、または同一にさえしなければならない。移動遠隔通信送信機１０が移動無線通信ネットワーク１内の無線通信セルを切替るとき、例えば第１の基地局２５の送信範囲から新たな無線通信セルへの移動遠隔通信送信機１０の移動に基づいて無線通信セルが切り替えられるとき、接続切替が行われ、移動遠隔通信送信機１０と新たな無線通信セルを張る第２の基地局３０との間で新たな物理接続が形成される。この場合、新たな物理接続は図１及び図３による第２の無線インタフェースに相応する。図３では、移動遠隔通信送信機１０と第２の上位ネットワークユニット５５との接続は、第２の基地局３０を介するように図示されており、ここで図２におけるのと同じ参照番号は同じ構成要素を表している。図３による第２の基地局３０は、第２の固定ネットワーク接続８２を介して第２の上位ネットワークユニット５５ないしそれのＲＬＣプロトコルと接続されている。ＲＬＣプロトコルは図３では第３のＲＬＣプロトコル１２６として表示されている。第２の上位ネットワークユニット５５は、第１の上位ネットワークユニット５０と同様に構成されており、相応して、第３のＲＬＣプロトコル１２６の他に第３のＰＤＣＰプロトコル１３６を有している。第２の基地局３０は、移動無線通信ネットワーク１において、上述のように、第１の上位ネットワークユニット５０とは異なる第２の上位ネットワークユニット５５と接続されている。それゆえ、移動遠隔通信送信機１０と第２の上位ネットワークユニット５５との間の論理接続が新たに形成される。この場合、第１のＲＬＣプロトコル１２０と第３のＲＬＣプロトコル１２６との間に、第２の論理ＲＬＣ接続１０３が形成される。第１のＰＤＣＰプロトコル１３０と第３のＰＤＣＰプロトコル１３６との間には、第２の論理ＰＤＣＰ接続１０４が形成される。それゆえ、第１の論理ＰＤＣＰ接続１０３は、第２の論理ＰＤＣＰ接続１０４で置き換えられる。このためには、第２の上位ネットワークユニット５５内に、接続切替後まず第一に、第３のＰＤＣＰプロトコル１３６が新たに生成されなければならない。
【００３５】
第２の論理ＰＤＣＰ接続１０４を介した正しいデータ流れを可能にするためには、まず移動遠隔通信送信機１０内の第１のＰＤＣＰプロトコル１３０と第２の上位ネットワークユニット５５内の第３のＰＤＣＰプロトコル１３６を再び同期させなければならない。このための方法は、移動遠隔通信送信機１０内の第１のＰＤＣＰプロトコル１３０を所定の初期状態にリセットすることである。この所定の初期状態は、接続切替の際に新たに生成される第３のＰＤＣＰプロトコル１３６の初期状態に相応するものであり、この場合、第１のＰＤＣＰプロトコル１３０と第３のＰＤＣＰプロトコル１３６は、同じ伝送特化情報を有している。
【００３６】
しかしながら本発明によれば、第２のＰＤＣＰプロトコル１３５の伝送特化情報を、第１の上位ネットワークユニット５０から第２の上位ネットワークユニット５５内の第３のＰＤＣＰプロトコルユニットに伝送することによって、第３のＰＤＣＰプロトコル１３６を第２のＰＤＣＰプロトコル１３５の伝送特化情報を用いて生成する方法が提供される。それゆえ、第１のＰＤＣＰプロトコル１３０のリセットは必要ない。これによって、第１のＰＤＣＰプロトコル１３０及び第２のＰＤＣＰプロトコル１３５の圧縮方法は、継続して第１のＰＤＣＰプロトコル１３０と第３のＰＤＣＰプロトコル１３６との間でも適用可能であり、しかも前記２つのＰＤＣＰプロトコル１３０，１３６をリセットしなくても済む。これは、第１のＰＤＣＰプロトコル１３０及び第３のＰＤＣＰプロトコル１３６のリセットと比べて、著しいデータ整理を第２の無線インタフェース９１にもたらす。というのも、伝送特化情報は新たに格納されず、その後、伝送特化情報の同じまたは類似の状態を第１のＰＤＣＰプロトコル１３０及び第３のＰＤＣＰプロトコル１３６に伝えるためだけに、第２の無線インタフェース９１を介して伝送されるだけでよいからである。この場合、伝送特化情報の同じまたは類似の状態は、例えば移動遠隔通信送信機１０と第２の上位ネットワークユニット５５との接続の終了時に伝わるようにすることができる。
【００３７】
例として、第１の基地局２５の無線通信セルから第２の基地局３０の無線通信セルへの接続切替の関連した方法を説明する。
【００３８】
第１の基地局２５を介した、移動遠隔通信送信機１０と移動無線通信ネットワーク１のユニット５０，６０との間の接続形成の際に、移動無線通信ネットワーク１のこれらのユニット５０，６０と移動遠隔通信送信機１０との間で、接続の設定のための種々のパラメータが受け渡される。これらのパラメータには、プロトコル−制御情報の圧縮に使用される圧縮アルゴリズム、コードブックの許容可能な長さ及び接続のサービス品質も属している。
【００３９】
本発明によれば、このパラメータの受け渡しに次のようなパラメータを付加することができる。付加されるパラメータは、第１の上位ネットワークユニット５０から第１の上位ネットワークユニットとは異なる新たな上位ネットワークユニットへの接続切替の際に、新たな上位ネットワークユニット内で生成されたＰＤＣＰプロトコルをリセットすべきか否か、または手元にある既に形成された伝送特化情報を第１の上位ネットワークユニット５０から新たな上位ネットワークユニット５０へ伝送すべきか否かを決定するものである。パラメータの受け渡しに必要な信号伝達は、最も簡単なケースでは１ビットで行われ、この１ビットは、パラメータ受け渡しのために第１の上位ネットワークユニット５０に送達すべきメッセージに付加されるか、またはパラメータ受け渡しのために第１の上位ネットワークユニット５０から送達されるべきメッセージに付加される。これらの２つの状態は、「ＰＤＣＰプロトコルはリセットされる」または「伝送特化情報は接続切替の際に伝送される」という情報を通知する。
【００４０】
適用により生成されたパケットデータ単位は、第１の上位ネットワークユニット５０において、ＴＣＰ及びＩＰプロトコルによって、層の列において下位にある相応のＰＤＣＰプロトコルユニットに引き渡され、このＰＤＣＰプロトコルユニットによって圧縮され、続いて層の列においてＰＤＣＰプロトコルユニットの下位にある第２のＲＬＣプロトコル１２５に引き渡される。さらに、パケットデータ単位は、第１の上位ネットワークユニット５０のＰＤＣＰプロトコルユニットにおいて、第２のＲＬＣプロトコル１２５の実現を担当する、第１の上位ネットワークユニット５０のＲＬＣユニットが、移動遠隔通信送信機１０へのパケットデータ単位の正しい伝送に肯定応答するまで、図４ｂ）によるバッファメモリ１６０に記憶される。接続切替が行われる時点までに、（ｍ−１）のパケットデー単位が第１の上位ネットワークユニット５０のＰＤＣＰプロトコルユニットによって圧縮され、ＲＬＣユニットに引き渡され、このＲＬＣユニットによって肯定応答される。さらに６つのパケットデータ単位ｍ，ｍ＋１，…，ｍ＋５は、既にこのＲＬＣユニットに引き渡されており、しかしながら肯定応答はされておらず、それゆえまだバッファメモリ１６０内にある。バッファメモリ１６０において、パケットデータ単位ｍ，ｍ＋１，…，ｍ＋５は、参照番号１６１，１６２，１６３，１６４，１６５，１６６で表されている。パケットデータ−制御情報の圧縮の際、コードブック１５０が圧縮テーブルとして格納される。コードブック１５０は、この実施例では、図４ａ）によればｎのエントリを有しており、これらのエントリは、参照番号１５１，１５２，１５３，１５４，１５５，１５６，１６７で表されている。
【００４１】
第１の上位ネットワークユニット５０または移動遠隔通信送信機１０によって接続切替が行われる時点において、第２の上位ネットワークユニット５５内で、接続切替後の新たな上位ネットワークユニットとして、データ伝送の維持に必要なプロトコル、例えば第３のＲＬＣプロトコル１２６及び第３のＰＤＣＰプロトコル１３６のようなプロトコルが生成される。
【００４２】
本発明によれば、引き続いて、第１の上位ネットワークユニット５０のＰＤＣＰプロトコルユニット内に記憶された目下の伝送特化情報、つまりこの実施例ではコードブック１５０及びバッファメモリ１６０の内容が、第１の上位ネットワークユニット５０から第２の上位ネットワークユニット５５に伝送される。このためには、２つの上位ネットワークユニット５０，５５の間に第７の固定ネットワーク接続８７が存在している場合は、これを使用するか、または第５の固定ネットワーク接続８５、最上位ネットワークユニット６０及び第６の固定ネットワーク接続８６を介して、第１の上位ネットワークユニット５０から第２の上位ネットワークユニット５５に伝送特化情報を案内してもよい。伝送特化情報が第３のＰＤＣＰプロトコル１３６に引き渡された後は、このＰＤＣＰプロトコル１３６は、移動遠隔通信送信機１０と第２の上位ネットワークユニット５５との間の論理ＰＤＣＰ接続１０４に関して、接続切替直前の第１の上位ネットワークユニット５０の第２のＰＤＣＰプロトコル１３５の正確なコピーであり、パケットデータ単位のデータ伝送は、直接再度実行するか、または、さきに接続切替の直前に行われたように、現在の状態からの継続であってもよい。
【００４３】
コードブック１５０及びバッファメモリ１６０の内容は、第１の上位ネットワークユニット５０から第２の上位ネットワークユニット５５へ伝送すべき伝送特化情報に対して単に例として実施されているに過ぎない。相応の手法で、伝送すべき伝送特化情報に、代替的または付加的に他の情報を含ませてもよい。例えば、形成された接続の枠内で伝送するべきパケットデータ単位内の有効データの圧縮に関する情報を含ませてもよく、この場合、この情報は相応の手法でコードブックによって形成することができる。
【図１】
2011050069.tif 000003
【図２】
2011050069.tif 000004
【図３】
2011050069.tif 000005
【図４ａ】
2011050069.tif 000006
【図４ｂ】
2011050069.tif 000007